(57)【要約】【課題】設置スペースを小さくできる端子台およびそれを備えた制御盤を提供する。【解決手段】電気配線の先端にはアンプ端子２１が取り付けられており、アンプ端子２１を挿入する前は、接続部１０において、押圧板１５と導電板１７との間には空間２２ができており、アンプ端子２１の平面を接続部１０の配列方向と垂直にして挿入する。締め付け用のネジ１３１を回転させると垂直力／水平力変換部１４は紙面下側に向かって押し下げられ、押圧板１５は導電板１７向けて摺動する。押圧板１５に形成された円錐状の突起１６がアンプ端子の穴部１７１に入り込む形でアンプ端子を所定の位置に誘導し、アンプ端子２１と導電板１７と接続する。【選択図】図１
2009218082.tif 000002
【特許請求の範囲】
【請求項１】
電気機器が納められた盤内に配置され、前記電気機器からの電気配線を接続する一列に配列された内部配線側接続部と、
盤外からの電気配線または盤内に配置された他の電気機器からの電気配線を接続する外部配線側接続部と、
前記両接続部間を接続する導電板と、
前記電気配線を前記導電板に押圧する力を発生する締付部とを備えた端子台であって、
前記両接続部は、前記締付部からの力の方向を変換するための水平/垂直力変換部と、
前記変換された力の方向に摺動可能で、前記電気配線を前記導電板に押圧する押圧板とを備え、
アンプ端子を備えた電気配線の前記アンプ端子の平面を前記配列方向と垂直方向にして前記押圧板と前記導電板間に挿入し、前記締付部からの締付力によって、前記アンプ端子を前記導電板に押圧して接続することを特徴とする端子台。
【請求項２】
前記水平/垂直力変換部は、くさび状の部材から構成されていることを特徴とする請求項１記載の端子台。
【請求項３】
前記接続部は、それぞれ前記端子台の高さ方向に多段構成になっていることを特徴とする請求項１記載の端子台。
【請求項４】
前記押圧板は、リング状のアンプ端子の穴部と接触して前記アンプ端子を所定の位置に誘導するための円錐状の突起を備えたことを特徴とする請求項１記載の端子台。
【請求項５】
前記水平/垂直力変換部または前記押圧板の少なくともどちらか一方が電気絶縁体で構成されていることを特徴とする請求項１記載の端子台。
【請求項６】
請求項１に記載の端子台を備えたことを特徴とする制御盤。
【発明の詳細な説明】
【技術分野】
【０００１】
電気機器が納められた盤内に配置され、電気機器間の接続または盤外からの電気配線の電気機器への接続を中継する端子台に関し、特に設置スペースを小さくできる端子台およびそれを備えた制御盤に関する。
【背景技術】
【０００２】
従来、制御盤や制御卓に配置され、外部からの信号線や電源線がつなぎ込まれる端子台に関し、端子台を小型化し、省スペース化を実現するための発明が開示されている（例えば特許文献１参照）。
図４は、従来の端子台の平面図である。また、図５アンプ端子の平面図で、（ａ）は内部配線用アンプ端子、（ｂ）は外部配線用アンプ端子の平面図である。
図４において１は端子台ベース、２１１は内部配配線用アンプ端子、２１２は外部配線用アンプ端子である。先ず、図５（ｂ）に示すようなホームベース形状の内部配線用アンプ端子２１１を図示しない溝に沿って定位置まで差込み、次に、図５（ａ）に示すような従来からの形状をした外部配線用アンプ端子２１２を内部配線用アンプ端子２１１に重ね合わせて配置し、ネジ１３１によって両端子２１１および２１２を螺着固定していた。
【特許文献１】特開２００７−１２４００号公報
【発明の開示】
【発明が解決しようとする課題】
【０００３】
しかしながら、従来技術の端子台は、アンプ端子の幅ｗによって配列方向の長さの制約を受けるため、配列方向の大きさを小さくすることができなかった。
本発明はこのような問題点に鑑みてなされたものであり、端子の配列方向の長さを低減し、制御盤の高収納化に寄与できる小型の端子台およびそれを備えた制御盤を提供することを目的とする。  
【課題を解決するための手段】
【０００４】
上記問題を解決するため、本発明は、次のように構成したものである。
請求項１に記載の発明は、電気機器が納められた盤内に配置され、前記電気機器からの電気配線を接続する一列に配列された内部配線側接続部と、盤外からの電気配線または盤内に配置された他の電気機器からの電気配線を接続する外部配線側接続部と、
前記両接続部間を接続する導電板と、前記電気配線を前記導電板に押圧する力を発生する締付部とを備えた端子台であって、前記両接続部は、前記締付部からの力の方向を変換するための水平/垂直力変換部と、前記変換された力の方向に摺動可能で、前記電気配線を前記導電板に押圧する押圧板とを備え、アンプ端子を備えた電気配線の前記アンプ端子の平面を前記配列方向と垂直方向にして前記押圧板と前記導電板間に挿入し、前記締付部からの締付力によって、前記アンプ端子を前記導電板に押圧して接続することを特徴としている。
請求項２に記載の発明は、前記水平/垂直力変換部は、くさび状の部材から構成されていることを特徴としている。
請求項３に記載の発明は、前記接続部は、それぞれ前記端子台の高さ方向に多段構成になっていることを特徴としている。
請求項４に記載の発明は、前記押圧板は、リング状のアンプ端子の穴部と接触して前記アンプ端子を所定の位置に誘導するための円錐状の突起を備えたことを特徴としている。
請求項５に記載の発明は、前記水平/垂直力変換部または前記電線接続用端子支持板の少なくともどちらか一方が電気絶縁体で構成されていることを特徴としている。
請求項６に記載の発明は、制御盤が請求項１に記載の端子台を備えたことを特徴としている。
【発明の効果】
【０００５】
請求項１に記載の発明によると、アンプ端子の平面を接続部の配列方向と垂直方向にして導電板に押圧する構成であるので、端子台の配列方向の大きさはアンプ端子の幅の大きさに制限されない。従って、端子の配列方向の長さ小さくすることができる。
また、請求項２に記載の発明によると、水平力・水平力変換部をくさび状の（テーパ面を有する）部材で構成すれば、簡単な構成で力の方向を変換する機構が実現できる。
また、請求項３に記載の発明によると、接続部を端子台の高さ方向に多段構成にすれば、接続部数当たりの端子の配列方向の長さをさらに小さくすることができる。
また、請求項４に記載の発明によると、押圧板が円錐状の突起を備えれば、アンプ端子締め付け時において、アンプ端子位置を所定の位置に誘導でき、信頼性の高い接続が実現できる。
また、請求項５に記載の発明によると、水平/垂直力変換部または前記電線接続用端子支持板の少なくともどちらか一方が電気絶縁体で構成すれば、この部分で電気絶縁を確保できるので、締め付け用のネジとして導電性のある金属ネジを使用しても隣接のネジ間隔を大きく確保する必要がない。また、ネジ間に絶縁のための隔壁を設ける必要がない。
また、請求項６に記載の発明によると、制御盤に請求項１に記載の端子台を使用するので、制御盤内の端子台の占めるスペースを小さくでき、制御盤の高収納化に寄与できる。
【発明を実施するための最良の形態】
【０００６】
以下、本発明の実施の形態について図を参照して説明する。
【実施例１】
【０００７】
図１は、本発明の第１実施例を示す端子台の (a)は正面図、（ｂ）は側面図である。
図において、１は端子台ベース、１１は内部配線側、１２は外部配線側である。１３は締付部で、締め付け用のネジ１３１とナット１３２で構成され、ナット１３２は端子台ベースに固定されている。
【０００８】
図１（ｂ）において、１４は、締め付け用のネジ１３１による垂直方向（Ｙ方向）の力を水平方向（Ｘ方向）の力に変換する垂直力／水平力変換部であり、くさび状になっている。１５は、垂直力／水平力変換部１４で得られた水平方向の力によって水平方向に摺動し、導電板にアンプ端子を押圧する押圧板である。押圧板１６の一方の面には、垂直力／水平力変換部１４のくさび形状が有するテーパ面１４ａに対向して、この面と接するようにテーパ面１５ａが一部分に形成してあり、もう一方の面にはアンプ端子を所定の位置に誘導するための円錐状の突起１６が形成してある。また、テーパ面１５ａは図示しないバネによってテーパ面１４ａに圧接されている。なお、垂直力／平力変換部１４および押圧板１５は、絶縁材料を用いて形成されている。また、アンプ端子２１は、従来技術の外部配線用アンプ端子２１２と同じ形状のものを用いている。
【０００９】
１７は内部配線側１１に接続される電気配線と外部配線側１２に接続される電気配線を電気的に接続する略長方形の導電板で、平面を垂直方向（Ｙ方向）にして端子台ベース１に固定されている。また、１０は接続部で、垂直力／水平力変換部１４、押圧板１５および導電板１７から構成され、内部配線側１１に内部配線側接続部１０Ａ、外部配線側１２に外部配線側接続部１０Ｂを有する。
【００１０】
図２は導電板の平面図で、盤内配線側接続部１０Ａおよび外部配線側接続部１０Ｂ内の押圧板の突起１６に対向する位置にそれぞれ穴１７１が形成されている。
【００１１】
次に端子台への電気配線の接続の動作について説明する。
図１（ａ）に示すように、電気配線の先端にはアンプ端子２１が取り付けられており、アンプ端子の平面を紙面に対して垂直にして端子台１の接続部に挿入する。図１（ｂ）の左端の接続部に示したように、アンプ端子２１を挿入する前は、接続部１０において、押圧板１５と導電板１７との間には空間２２ができており、この空間にアンプ端子を挿入する。締め付け用のネジ１３１を回転させると垂直力・水平力変換部１４は紙面下側に向かって押し下げられ、押圧板１５は導電板１７向けて摺動する。押圧板１５に形成された円錐状の突起１６がアンプ端子の穴部１７１に入り込む形でアンプ端子を所定の位置に誘導し、アンプ端子２１を導電板１７に押圧し接続する。左から２つ目の接続部はアンプ端子２１が導電板１７と接続されたときの状態を示している。
【００１２】
本発明が従来技術と異なる点は、垂直力・水平力変換部と押圧板を備え、アンプ端子の平面を接続部の配列方向と垂直にして導電板に押圧し、機械的に固定するすると共に電気的に接続している点である。
【００１３】
このように本実施例では、アンプ端子の平面を接続部の配列方向と垂直方向にして導電板に押圧する構成であるので、端子台の配列方向の大きさはアンプ端子の幅の大きさに制限されない。従って、端子の配列方向の長さ小さくすることができる。
【実施例２】
【００１４】
図２は、本発明の第２実施例を示す端子台の側面図である。
図において、１０１は、上段側接続部、１０２は下段側接続部である。内部配線側接続部１０Ａおよび外部配線側接続部１０Ｂ対して、それぞれ上段側接続部１０１と下段側接続部１０２が形成されている。
本発明が第１実施例と異なる点は、内部配線側接続部１０Ａおよび外部配線側接続部が多段構成になっている点である。
【００１５】
このように本実施例では、接続部を多段構成にしているので、配列方向の長さに対して接続部の数を増やすことができ、さらに小型の端子台が実現できる。
【図面の簡単な説明】
【００１６】
【図１】本発明の第１実施例を示す端子台の (a)は正面図、（ｂ）は側面図。
【図２】本発明の導電板の平面図。
【図３】本発明の第２実施例を示す端子台の側面図。
【図４】従来の端子台平面図。
【図５】アンプ端子の平面図。
【符号の説明】
【００１７】
１  端子台ベース
１０  接続部
１０Ａ  内部配線側接続部
１０Ｂ  外部配線側接続部
１１  内部配線側
１２  外部配線側
１３  締付部
１４  垂直力／水平力変換部
１５  押圧板
１６  突起
１７  導電板
【図１】
2009218082.tif 000003
【図２】
2009218082.tif 000004
【図３】
2009218082.tif 000005
【図４】
2009218082.tif 000006
【図５】
2009218082.tif 000007